【手続補正書】
【提出日】平成17年4月8日(2005.4.8)
【手続補正１】
【補正対象書類名】明細書
【補正対象項目名】発明の名称
【補正方法】変更
【補正の内容】
【発明の名称】端末、通信装置および通信システム
【手続補正２】
【補正対象書類名】明細書
【補正対象項目名】特許請求の範囲
【補正方法】変更
【補正の内容】
【特許請求の範囲】
【請求項１】
第１の通信装置と第２の通信装置と、それぞれの通信装置と通信をする端末とで構成されるシステムにおける端末であって、
前記第１の通信装置から該装置の識別情報を受信するための手段と、
前記第２の通信装置に対して前記識別情報を送信するための手段と、
第２の通信装置から前記識別情報に対応付けられた認証情報を受信するための手段と、
前記受信した認証情報を用いて第１の通信装置に接続要求を行うための手段とを含むことを特徴とする端末。
【請求項２】
さらに自端末を識別するための識別データを記憶するための手段と、
前記第２の通信装置に対して前記識別データを送信するための手段と、
前記第２の通信装置から前記識別データに対応付けられた認証情報を受信するための手段と、
前記受信した認証情報を含めた接続要求を第１の通信装置に送信するための手段とを含むことを特徴とする請求項１に記載の端末。
【請求項３】
さらに自己を識別するための識別データを記憶するための手段と、
前記第２の通信装置に対して前記識別データと前記第１の通信装置の識別情報とを一つにして送信するための手段とを含むことを特徴とする請求項１に記載の端末。
【請求項４】
さらに前記端末の認証データを記憶するための手段と、
前記第２の通信装置に対して端末の識別データと認証データと前記第１の通信装置の識別情報とを一つにして送信するための手段とを含むことを特徴とする請求項３に記載の端末。
【請求項５】
前記端末は携帯電話であり、前記識別データは、携帯電話の電話番号であることを特徴とする請求項２から４のいずれかに記載の端末。
【請求項６】
さらに自端末と前記第１の通信装置との間の通信に対する課金情報を作成するための手段と、
前記第２の通信装置との間で前記課金情報を送受信するための手段とを含むことを特徴とする請求項１から５のいずれかに記載の端末。
【請求項７】
第１の通信装置と第２の通信装置と端末とが互いに通信するように構成されているシステムにおける第１の通信装置であって、
前記第２の通信装置から、自通信装置を識別するための識別情報と前記識別情報に対応した認証情報とを受信して記憶するための手段と、
前記端末に自通信装置の識別情報を送信するための手段と、
前記記憶された認証情報とに基づいて端末との接続の可否を判断するための手段とを含むことを特徴とする通信装置。
【請求項８】
前記識別情報と識別情報に対応した認証情報は、予め定められた時間が経過すると他の通信装置から受信することを特徴とする請求項７に記載の通信装置。
【請求項９】
さらに自通信装置と前記端末との間の通信に対する課金情報を作成するための手段と、
前記他の通信装置との間で課金情報を送受信するための手段を含むことを特徴とする請求項７または８に記載の通信装置。
【請求項１０】
第１の通信装置と第２の通信装置と、それぞれの通信装置と通信をする端末とで構成されるシステムにおける第２の通信装置であって、
２つ以上の端末と通信するための手段と、
前記端末から第１の通信装置の識別情報を受信するための受信手段と、
各第１の通信装置に対応した識別情報と認証情報とを対応付けて登録するための手段と、
端末から受信した第１の通信装置の識別情報に対応した認証情報を端末に送信するための手段とを含む通信装置。
【請求項１１】
さらに予め定められた条件を満足する端末の識別データを登録するための手段と、
前記端末から識別データを受信するための手段と、
端末から受信した識別データが登録されている場合には対応する第１の通信装置の認証情報を端末に送信するための手段とを含むことを特徴とする請求項１０に記載の通信装置。
【請求項１２】
さらに２つ以上の第１の通信装置と通信するための手段と、
予め定められた条件が満足されると第１の通信装置に識別情報や認証情報などの情報を送信するための手段とを含むことを特徴とする請求項１０または１１に記載の通信装置。
【請求項１３】
さらに２つ以上の第１の通信装置と通信するための手段と、
第１の通信装置から送信される情報に基づいて、第１の通信装置に対応した識別情報と認証情報とを登録するための手段とを含むことを特徴とする請求項１０から１２のいずれかに記載の通信装置。
【請求項１４】
さらに前記端末から、第１の通信装置の識別情報とともに端末の識別データと認証データを受信するための手段と、
端末の認証データが有効であるか否かを判断するための手段と、
端末の識別データ、認証データおよび第１の通信装置の認証情報のいずれかを、端末および第１の通信装置に送信するための手段とを含むことを特徴とする請求項１２または１３に記載の通信装置。
【請求項１５】
さらに前記端末と前記第１の通信装置との間の通信に対する課金情報を端末と送受信するための手段と、
前記課金情報を記憶するための手段を含むことを特徴とする請求項１０から１４のいずれかに記載に通信装置。
【請求項１６】
さらに前記端末と前記第１の通信装置との間の通信に対する課金情報を第１の通信装置との間で送受信するための手段と、
前記課金情報を記憶するための手段を含むことを特徴とする請求項１２から１５のいずれかに記載に通信装置。
【請求項１７】
自己の識別情報を記憶している複数の第１の通信装置と、第１の通信装置の識別情報と認証情報を登録している第２の通信装置と、複数の第１の通信装置と第２の通信装置と通信できる端末から構成されるシステムであって、
端末は第１の通信装置から、第１の通信装置の識別情報を取得し、前記識別情報を第２の通信装置に送信し、第２の通信装置から第１の通信装置の前記識別情報に対応する認証情報を取得することを特徴とするシステム。
【請求項１８】
さらに端末は自己の識別データを記憶し、第２の通信装置は予め定められた条件を満足する端末の識別データを登録しておき、端末から第１の通信装置の識別情報と端末の識別データを受信した時に、端末の識別データが第２の通信装置に登録されている場合に、第１の通信装置の認証情報を端末に送信することを特徴とする請求項１７に記載のシステム。
【請求項１９】
さらに前記端末は携帯電話であり、前記識別データは携帯電話の電話番号である請求項１８に記載のシステム。
【請求項２０】
さらに前記第２の通信装置は予め定められた条件が満足されると第１の通信装置に識別情報や認証情報などの情報を送信することにより、第１の通信装置が記憶している識別情報や認証情報を変更することを特徴とする請求項１７から１９のいずれかに記載のシステム。
【請求項２１】
さらに前記第１の通信装置は予め定められた条件が満足されると第２の通信装置に識別情報や認証情報を送信することにより、第２の通信装置が登録している識別情報や認証情報を変更することを特徴とする請求項１７から２０のいずれかに記載のシステム。
【請求項２２】
さらに前記第２の通信装置は、端末から受信した端末の認証データが有効である場合に、端末の識別データおよび認証データ、第１の通信装置の認証情報のいずれかを端末および第１の通信装置に送信することを特徴とする請求項１７から２１のいずれかに記載のシステム。
【請求項２３】
さらに前記端末は、端末と第１の通信装置との間の通信に対する課金情報を作成し、前記課金情報を第２の通信装置との間で送受信することを特徴とする請求項１７から２０のいずれかに記載のシステム。
【請求項２４】
さらに前記第１の通信装置は、端末と第１の通信装置との間の通信に対する課金情報を作成し、前記課金情報を第２の通信装置との間で送受信することを特徴とする請求項１７から２３のいずれかに記載のシステム。